(57)【要約】【課題】本発明は、美観を損なわず円滑に手動動作が行える衛生的な便器自動洗浄装置を提供することを目的とする。【解決手段】使用者の手による手動動作を非接触検出するための動作検出手段と、前記動作検出手段による検出結果に基づき、便器に洗浄水を放出するための放水手段と、を備えた便器自動洗浄装置において、前記動作検出手段に回帰反射型センサーと反射板を用い、使用者が前記回帰反射型センサーから放たれる光を遮ることにより便器に洗浄水を放出することを特徴とする便器自動洗浄装置とした。【選択図】図１
2004278125.tif 000002
【特許請求の範囲】
【請求項１】
使用者の手による手動動作を非接触検出するための動作検出手段と、前記動作検出手段による検出結果に基づき、便器に洗浄水を放出するための放水手段と、を備えた便器自動洗浄装置において、
前記動作検出手段に回帰反射型センサーと反射板を用い、使用者が前記回帰反射型センサーから放たれる光を遮ることにより便器に洗浄水を放出することを特徴とする便器自動洗浄装置。
【請求項２】
前記回帰反射型センサーを前記放水手段を具備した器具内に設け、前記回帰反射型センサーと対向する向きに前記反射板を器具外に設けたことを特徴とする請求項１に記載の便器自動洗浄装置。
【請求項３】
前記回帰反射型センサーを前記器具の背面に設けたことを特徴とする請求項１または２に記載の便器自動洗浄装置。
【発明の詳細な説明】
【０００１】
【発明の属する技術分野】
本発明は、水洗便器に洗浄水を放出させるために操作される手動操作に関する。
【０００２】
【従来の技術】
水洗便器に洗浄水を放出させるための手段としては、フラッシュバルブに代表されるようにレバーもしくは押ボタンがあり、これを押すことにより便器に洗浄水を放出している。
不特定多数が利用する建築物や旅客施設・車両・周辺道路・駅前広場等においては、誰がさわったか分からないレバーや押ボタンを触りたくない為に洗浄をせず、トイレが不衛生になったり、もしくは操作が重いため、手で操作されず足で操作すると言うのが実状である。また、足で操作されるが為に器具自体が痛めつけられ、漏水等の問題が生じてきている。
この様な背景から操作性を向上させるために、センサーを器具に設け手をかざすことで自動洗浄をする装置の提案がなされている（たとえば、特許文献１を参照のこと。）。
【０００３】
【特許文献１】
実開昭５１−９５２４７号公報
【０００４】
しかしながら、センサーを器具に設けた場合で、便器近傍に器具が設置されている場合は手動による操作は支障無く行えるが、横壁などに設置された場合は、使用者から離れた場所に器具が置かれるため手を伸ばして操作する必要があり、操作性が劣ることになる。
【０００５】
これを解決するために器具からセンサー部を分離させ利用者近傍に設置した場合は、器具とセンサー間をコードで接続する形態になり、不特定多数が利用する公衆のトイレではコードが切られると言う危険性がある。また、コードをモール等で覆う必要があり美観も損なうと共に施工に手間が掛かる。
【０００６】
さらに、器具にセンサー部を設けた場合は、操作性を考慮し器具の正面や上面にセンサー部が設けられるが、特に、女子トイレにおいては、センサー部の窓が外観に露出しているため、盗撮されているイメージがあり、毛嫌いされている。また、センサー部の窓が使用者から見える位置に設置されているため、いたずらされる危険性がある。
【０００７】
【発明が解決しようとする課題】
本発明は、上記不具合を解決するためになされたもので、美観を損なわず円滑に手動動作が行える衛生的な便器自動洗浄装置を提供することを目的とする。
【０００８】
【課題を解決するための手段】
上記課題を解決する為に、本発明の請求項１は、使用者の手による手動動作を非接触検出するための動作検出手段と、前記動作検出手段による検出結果に基づき、便器に洗浄水を放出するための放水手段と、を備えた便器自動洗浄装置において、前記動作検出手段に回帰反射型センサーと反射板を用い、使用者が前記回帰反射型センサーから放たれる光を遮ることにより便器に洗浄水を放出することを特徴とする便器自動洗浄装置とした。
【０００９】
この様に、センサーから放たれる光を使用者が手で遮ることにより便器に洗浄水を放出することが出来るため、不特定多数の人が触ったレバーや押しボタンを触ることなく洗浄できるため衛生的である。また、重いレバーや押しボタンを押すことなく手動動作を行うことが出来るため操作性が飛躍的に向上することになる。
さらに、水栓便器を設置したトイレブースの壁面に沿ってセンサーよりの光を放つことができるので、使用者の意図しない手以外の体の一部でセンサーよりの光を遮ることがなくなり、誤感知もない。
【００１０】
請求項２では、前記回帰反射型センサーを前記放水手段を具備した器具内に設け、前記回帰反射型センサーと対向する向きに前記反射板を器具外に設けたことを特徴とする請求項１に記載の便器自動洗浄装置とした。
【００１１】
この様に、反射板を器具外に設けることにより、横壁に器具を設置した場合でも、反射板を使用者の近傍に設けることにより、無理な姿勢無く楽に手動操作を行うことが出来る。また、透過形センサーを用いた場合は、投光器を器具側に具備し、受光器を器具外に設置する形態になるため、投光器と受光器間とのコード接続が必要になるが、本発明では回帰反射形センサーと反射板を用いているためコード接続が不要となる。
また、放水手段を具備した器具内に回帰反射型センサーを設けているので、各々別部品で構成する場合に比べ、部品点数を少なくでき、壁への設置作業が容易になり、美観を損なわない。
さらに、回帰反射型センサーを具備した器具と反射板との間隔を自由に設定することができるため、使用者が手で遮る範囲を広げ操作性も向上させることが簡単にできる。
【００１２】
請求項３では、前記回帰反射型センサーを前記器具の背面に設けたことを特徴とする請求項１または２に記載の便器自動洗浄装置とした。
【００１３】
この様に、センサーを器具背面に設けるため、使用者からはセンサーの窓が見えず、いたずら防止や盗撮と言うイメージを払拭することが出来る。
【００１４】
【発明の実施の形態】
以下、図面に示す実施例に基づいて本発明を説明する。
図１は本発明に係わる回帰反射型センサーを具備した自動洗浄装置と反射板を具備した器具及び便器とセットした斜視図である。
図２は図１の正面図である。
図３は図１の上面図である。
図４は自動洗浄装置のカバーを外した斜視図である。
図５は反射板を具備した器具のカバーを外した斜視図である。
図６は反射板の固定方法を示した斜視図である。
【００１５】
図１〜３を基に本装置の洗浄のしくみ簡単に説明する。
反射板２を具備した器具Ｂは自動洗浄装置Ａの背面に具備された回帰反射型センサー１と対向するように設置されている。回帰反射型センサー１の投光素子から投光された光は反射板２で反射し回帰反射型センサー１の受光素子に回帰される。投光素子側には横方向偏向フィルターが設けられており、これにより光は横方向の波に偏向される。この横方向の波は反射板２内のプリズムにより縦方向の波に偏向される。回帰反射型センサー１の受光素子側には縦方向の偏向フィルターが設けられており、反射板２から縦方向に偏向された波のみを受光するしくみになっている。
従って、使用者が手で遮った場合は、横方向の波が回帰反射型センサー１に回帰されることになるが、縦方向の波でないが為に受光がと切れ、このタイミングで回帰反射型センサー１から駆動部に信号を送り便器洗浄を行う。
【００１６】
図３に示したように回帰反射型センサーの投光素子から投光される光は壁に沿っているので、使用者の意図しない手以外の体の一部でこの投光される光を遮ることはなく、誤感知もない。
なお、図３に示した例は、自動洗浄装置Ａと器具Ｂを便器Ｃの横壁Ｄに配置したものであるが、便器Ｃの前壁Ｅに配置しても良い。
【００１７】
また、ここでは、放水手段を具備した自動洗浄装置に回帰反射型センサーが設けられた場合を示しているが、放水手段を具備した自動洗浄装置とは別に回帰反射型センサーを壁に設置しても同様な効果を奏する。給水配管口２０と便器Ｃとの配置と使い勝手との関係で、放水手段を具備した自動洗浄装置とは別に回帰反射型センサーを壁に設置する場合などである。
【００１８】
図４を基に自動洗浄装置Ａの構造を簡単に説明する。
回帰反射型センサー１はセンサー固定プレート３にねじ４で固定されている。固定プレート３は本体に固定されたベースプレート５にねじ６で固定されている。上カバー７は回帰反射型センサー１を覆う部位７ａを背面に設けている。これにより回帰反射型センサー１に埃等が付着するのを防止している。また、回帰反射型センサーから投光・受光が支障なく行えるよう開口部７ｂを設けてある。上カバー７はねじ８によりベースプレート５に固定される。電源９は回帰反射型センサー１に電源を供給している。（コードは省いている。）また、本実施では電源に乾電池を用いている。駆動部１０は回帰反射型センサー１からの信号を受け、駆動部１０が開となることで便器に洗浄水が放出される。（コードは省いている。）
【００１９】
図５，６を基に反射板を具備した器具Ｂの構造を簡単に説明する。
反射板２は固定プレート１１にナット１２で固定されてある。固定プレート１１には垂直方向に長穴１１ａが明けられており、取り付け時に反射板２を上下方向に移動が出来る。これにより回帰反射形センサー１との上下方向の施工誤差を吸収することが出来る。固定プレート１１はカバー固定プレート１３にねじ１４で固定されてある。固定プレート１１には円弧状の長穴１１ｂが明けられており、これにより反射板２をある程度回転させることが出来る。これにより回帰反射型センサー１が傾いて取り付けられた場合でも正常に投光・受光出来るように調整を行うことが出来る。反射板２の保護カバー１５は固定プレート１３に下部でねじ１６で固定されてある。また、保護カバー１５の片側側面には投光・受光が支障なく行えるよう開口部１５ａを設けてある。
【００２０】
【発明の効果】
本発明は上記構成により、美観を損なわず円滑に手動動作が行える衛生的な便器自動洗浄装置を提供することができる。
【図面の簡単な説明】
【図１】本発明に係わる回帰反射形センサーを具備した自動洗浄装置と反射板を具備した器具及び便器とセットした斜視図である。
【図２】図１の正面図である。
【図３】図１の上面図である。
【図４】自動洗浄装置のカバーを外した斜視図である。
【図５】反射板を具備した器具のカバーを外した斜視図である。
【図６】反射板の固定方法を示した斜視図である。
【符号の説明】
Ａ：自動洗浄装置
Ｂ：器具
Ｃ：便器
Ｄ：横壁
Ｅ：前壁
１：回帰反射型センサー
２：反射板
３：固定プレート
５：ベースプレート
７：上カバー
９：電源
１０：駆動部
１１：固定プレート
１３：固定プレート
１５：保護カバー
２０：給水配管口
【図１】
2004278125.tif 000003
【図２】
2004278125.tif 000004
【図３】
2004278125.tif 000005
【図４】
2004278125.tif 000006
【図５】
2004278125.tif 000007
【図６】
2004278125.tif 000008